(57)【要約】【課題】適切にコンテンツを配信することができるコンテンツ配信システムを提供する。【解決手段】移動端末の現在地情報および目的地情報を取得する端末情報取得部と、現在地情報および目的地情報に基づいて、移動端末の移動経路を表す経路情報を出力する経路情報出力部と、サーバ装置に設けられ、複数のコンテンツと、複数のコンテンツに、複数のコンテンツに対応する複数の登録地点をそれぞれ紐付けたコンテンツ情報を含むデータベースとを記憶する記憶部と、移動端末の移動経路に含まれる登録地点をデータベースから検出する登録地点検出部と、登録地点検出部によってデータベースから検出された登録地点を含むコンテンツ情報を抽出するコンテンツ情報抽出部と、経路情報およびコンテンツ情報に基づいて、コンテンツの再生順を決定する再生順決定部と、再生順に基づいて、記憶部からコンテンツを取得し、移動端末に配信するコンテンツ配信部と、を備える。【選択図】図１
2019032677.tif 000002
【特許請求の範囲】
【請求項１】
サーバ装置と通信可能な移動端末の現在地情報、および前記移動端末に設定される目的地情報を取得する端末情報取得部と、
前記現在地情報および前記目的地情報に基づいて、前記移動端末の移動経路を表す経路情報を出力する経路情報出力部と、
前記サーバ装置に設けられ、複数のコンテンツと、前記複数のコンテンツに、前記複数のコンテンツに対応する複数の登録地点をそれぞれ紐付けたコンテンツ情報を含むデータベースとを記憶する記憶部と、
前記経路情報が表す前記移動端末の移動経路に含まれる前記登録地点を前記データベースから検出する登録地点検出部と、
前記登録地点検出部によって前記データベースから検出された登録地点を含むコンテンツ情報を抽出するコンテンツ情報抽出部と、
前記経路情報および前記コンテンツ情報に基づいて、前記移動端末に配信されるコンテンツの再生順を決定する再生順決定部と、
前記再生順に基づいて、前記記憶部からコンテンツを取得し、前記移動端末に配信するコンテンツ配信部と、
を備えるコンテンツ配信システム。
【発明の詳細な説明】
【技術分野】
【０００１】
本発明は、コンテンツ配信システムに関する。
【背景技術】
【０００２】
従来より、予め起動地点が設定されたイベントプログラムによりコンテンツとそのナレーションの提供を行う際に、コンテンツの種類に応じてナレーションとコンテンツの提供開始タイミングを変更する車載情報提供装置が知られている（例えば、特許文献１参照）。
【０００３】
また、この車載情報提供装置では、車両の現在位置がイベントプログラムの起動地点に達したときに、すでに他のイベントプログラムが起動されている場合には、予めイベントプログラムごとに設定された優先順位が高い方を優先して実行する。
【先行技術文献】
【特許文献】
【０００４】
【特許文献１】特開２００３−０９７９５５号公報
【発明の概要】
【発明が解決しようとする課題】
【０００５】
しかしながら、従来の車載情報提供装置では、車両がイベントプログラムの起動地点に達した場合に、イベントプログラムが起動されて、コンテンツの再生が開始される。そのため、車両がイベントプログラムの起動地点に達するまでは、無音状態が継続する恐れがある。
【０００６】
また、従来の車載情報提供装置では、車両がイベントプログラムの起動地点に達した場合に、すでに他のイベントプログラムが起動されているときは、優先順位の高いイベントプログラムが実行される。そのため、それまで再生されていたコンテンツが突然中断される恐れがある。
【０００７】
そこで、適切にコンテンツを配信することができるコンテンツ配信システムを提供することを目的とする。
【課題を解決するための手段】
【０００８】
本発明の実施の形態のコンテンツ配信システムは、サーバ装置と通信可能な移動端末の現在地情報、および移動端末に設定される目的地情報を取得する端末情報取得部と、現在地情報および目的地情報に基づいて、移動端末の移動経路を表す経路情報を出力する経路情報出力部と、サーバ装置に設けられ、複数のコンテンツと、複数のコンテンツに、複数のコンテンツに対応する複数の登録地点をそれぞれ紐付けたコンテンツ情報を含むデータベースとを記憶する記憶部と、経路情報が表す移動端末の移動経路に含まれる登録地点をデータベースから検出する登録地点検出部と、登録地点検出部によってデータベースから検出された登録地点を含むコンテンツ情報を抽出するコンテンツ情報抽出部と、経路情報およびコンテンツ情報に基づいて、移動端末に配信されるコンテンツの再生順を決定する再生順決定部と、再生順に基づいて、記憶部からコンテンツを取得し、移動端末に配信するコンテンツ配信部と、を備える。
【０００９】
このように、移動端末の移動経路を表す経路情報と、サーバ装置側で検出されたコンテンツの登録地点を含むコンテンツ情報とに基づいてコンテンツの再生順が決定され、再生順とともにコンテンツがサーバ装置から移動端末に予め配信されることにより、移動端末で再生順に従ってコンテンツを再生することができる。
【００１０】
そのため、コンテンツを予め配信することができ、無音状態が継続することを回避することができる。また、他のコンテンツが割り込んでくることがなくなるので、それまで再生されていたコンテンツが突然中断されることを回避することができる。
【発明の効果】
【００１１】
適切にコンテンツを配信することができるコンテンツ配信システムを提供することができる。
【図面の簡単な説明】
【００１２】
【図１】実施の形態に係るコンテンツ配信システムの機能ブロック図である。
【図２】実施の形態に係るコンテンツ配信システムの処理を示すフローチャートである。
【図３】実施の形態に係るコンテンツ配信システムによるコンテンツの配信イメージを示す説明図である。
【発明を実施するための形態】
【００１３】
以下、本発明のコンテンツ配信システムを適用した実施の形態について説明する。
【００１４】
＜実施の形態＞
図１は、実施の形態に係るコンテンツ配信システムの機能ブロック図である。図１において、コンテンツ配信システム１００は、互いに通信可能な移動端末１０およびサーバ装置２０を備えている。なお、サーバ装置２０は、クラウドサーバであってもよいし、物理サーバであってもよい。また、サーバ装置２０は、図１に示した移動端末１０以外移動端末からも通信可能である。
【００１５】
移動端末１０は、車両に搭載される車載器またはスマートホンである。また、車両は、例えば、ＨＶ(Hybrid Vehicle)車、ＰＨＶ(Plug-in Hybrid Vehicle)車、ＥＶ(Electric Vehicle)車、ガソリンエンジン車、ディーゼルエンジン車等である。
【００１６】
また、移動端末１０は、端末情報取得部１１、経路情報出力部１２、コンテンツ再生部１３、表示部１４および通信部１５を有している。ここで、移動端末１０は、例えば、ナビゲーションＥＣＵ(Electronic Control Unit)により実現されるナビゲーション装置である。
【００１７】
すなわち、移動端末１０は、図示しないバスを介して互いに接続されたＣＰＵ(Central Processing Unit)、ＲＯＭ(Read Only Memory)、ＲＡＭ(Random access memory)、補助記憶装置等を含むマイクロコンピュータとして構成されてよい。
【００１８】
ＲＯＭまたは補助記憶装置には、ＣＰＵが実行する各種プログラムや地図データが格納されてよい。端末情報取得部１１、経路情報出力部１２およびコンテンツ再生部１３は、移動端末１０が実行するプログラムの機能（ファンクション）を機能ブロックとして表したものである。また、表示部１４は、ナビゲーション装置のディスプレイである。
【００１９】
端末情報取得部１１は、図示しないＧＰＳ(Global Positioning System)衛星から送信される信号を受信し、移動端末１０の現在地の緯度および経度を検出して、移動端末１０の現在地情報を取得するとともに、移動端末１０に設定される目的地情報を取得する。
【００２０】
経路情報出力部１２は、端末情報取得部１１によって取得された現在地情報および目的地情報に基づいて、ナビゲーション装置のルート探索機能により、現在地から目的地に向かう移動端末１０の移動経路を生成し、移動経路を表す経路情報を出力する。なお、経路情報出力部１２は、現在地から目的地までの移動経路を生成してもよいし、現在地から目的地に向かう中間地点までの移動経路を生成してもよい。
【００２１】
コンテンツ再生部１３は、後述するコンテンツ配信部２１４から配信されるコンテンツを再生する。これにより、例えば、表示部１４にコンテンツに含まれる画像が表示され、図示しない車室内のスピーカからコンテンツに含まれる音声が出力される。
【００２２】
通信部１５は、後述する通信部２１５と無線通信を行う装置であり、ＤＣＭ(Data Communication Module)によって実現される。ここで、無線通信は、例えば、３Ｇ(Third Generation)、４Ｇ(Fourth Generation)、ＬＴＥ(Long Term Evolution)、５Ｇ(Fifth Generation)、無線ＬＡＮ（Local Area Network）等の通信回線を介して行われる通信である。
【００２３】
サーバ装置２０は、移動端末１０に配信するコンテンツを制御するコンテンツ制御部２１、および記憶部２２を有している。また、コンテンツ制御部２１は、登録地点検出部２１１、コンテンツ情報抽出部２１２、再生順決定部２１３、コンテンツ配信部２１４および通信部２１５を含み、記憶部２２は、コンテンツデータ２２１およびデータベース２２２を含んでいる。
【００２４】
ここで、サーバ装置２０は、電子制御装置であるＥＣＵによって実現され、図示しないバスを介して互いに接続されたＣＰＵ、ＲＯＭ、ＲＡＭ、補助記憶装置等を含むマイクロコンピュータとして構成されてよい。
【００２５】
ＲＯＭまたは補助記憶装置には、ＣＰＵが実行する各種プログラムが格納されてよい。登録地点検出部２１１、コンテンツ情報抽出部２１２、再生順決定部２１３、コンテンツ配信部２１４および通信部２１５は、サーバ装置２０が実行するプログラムの機能（ファンクション）を機能ブロックとして表したものである。
【００２６】
コンテンツデータ２２１は、移動端末１０に配信される複数のコンテンツであり、ＲＯＭまたは補助記憶装置に記憶されている。なお、コンテンツとしては、例えば、音楽ファイルや動画ファイルが挙げられる。
【００２７】
データベース２２２は、複数のコンテンツに、複数のコンテンツに対応する複数の登録地点をそれぞれ紐付けたコンテンツ情報を含むデータベースであり、ＲＯＭまたは補助記憶装置に記憶されている。ここで、登録地点は、コンテンツを再生する位置として、コンテンツに対応して登録されている。また、登録地点は、点ではなく、ある程度の広がりをもった領域としてもよい。
【００２８】
登録地点検出部２１１は、経路情報出力部１２によって出力された経路情報が表す移動端末１０の移動経路に含まれるコンテンツの登録地点をデータベース２２２から検出する。具体的には、登録地点検出部２１１は、移動端末１０の移動経路上の点とデータベース２２２に記憶された登録地点とをマッチングし、対応する点がある場合に、コンテンツの登録地点として検出する。
【００２９】
コンテンツ情報抽出部２１２は、登録地点検出部２１１によって検出されたコンテンツの登録地点に基づいて、データベース２２２からこの登録地点を表す位置情報を含むコンテンツ情報を抽出する。なお、登録地点以外のコンテンツを表す情報については、後述する。
【００３０】
再生順決定部２１３は、経路情報出力部１２によって出力された経路情報およびコンテンツ情報抽出部２１２によって抽出されたコンテンツ情報に基づいて、移動端末１０に配信されるコンテンツの再生順を決定する。具体的には、再生順決定部２１３は、例えば、移動端末１０の移動経路上を通過する順にコンテンツの再生順を決定してもよい。また、再生順決定部２１３は、後述するユーザの趣向等を考慮して、コンテンツの再生順を決定してもよい。
【００３１】
コンテンツ配信部２１４は、再生順決定部２１３で決定されたコンテンツの再生順に基づいて、コンテンツデータ２２１から該当するコンテンツを取得し、通信部２１５を介して移動端末１０に配信する。ここで、コンテンツ配信部２１４は、取得したコンテンツを再生順に並べて移動端末１０に配信してもよいし、取得したコンテンツを再生順とともに移動端末１０に配信してもよい。
【００３２】
これにより、移動端末１０は、コンテンツ配信部２１４から配信されたコンテンツを、コンテンツ再生部１３により、再生順に従って再生することができる。すなわち、表示部１４および車室内のスピーカから、再生順に従ってコンテンツを再生することができる。
【００３３】
ここで、従来、コンテンツを表す情報としては、例えば、コンテンツが音楽ファイルや動画ファイルである場合には、楽曲（動画）タイトル、作曲者（制作者）名、ＴＯＣ(Table of Contents)情報、ジャンル情報、演奏者（出演者）名、規格品番、ＩＳＢＮ(International Standard Book Number)コード、ＪＡＮ(Japan Article Number)コード、著作権者情報、販売元情報等がある。
【００３４】
これに対して、実施の形態に係るコンテンツ配信システムでは、複数のコンテンツに、複数のコンテンツに対応する複数の登録地点（緯度および経度や地点情報）をそれぞれ紐付けた情報が、コンテンツ情報として記憶されている。
【００３５】
なお、登録地点は、録音、撮影済みの音楽ファイル、動画ファイルに対して、データベース２２２上で紐付けられるので、複数地点の紐つけが可能である。また、登録地点を紐付ける対象として、楽曲（動画）タイトル、歌詞、撮影場所、作品上で参考とした施設や風景に関する位置情報を挙げることができる。
【００３６】
また、実施の形態に係るコンテンツ配信システムでは、サーバ装置２０のデータベース２２２上で登録地点に基づくマッチングを行い、コンテンツを配信している。そのため、車載器だけでなく、スマートホン等についても、ソフトウェアをインストールすることで、サービスを提供することができる。
【００３７】
また、実施の形態に係るコンテンツ配信システムでは、移動端末１０ではなく、サーバ装置２０にコンテンツデータ２２１が記憶されるので、高頻度でコンテンツを更新し、最新のコンテンツを提供することができる。
【００３８】
また、実施の形態に係るコンテンツ配信システムでは、サーバ装置２０のデータベース２２２上でコンテンツと登録地点とを紐付けているので、ユーザによる編集提案や追加提案等を反映したコンテンツを提供することができる。すなわち、ユーザが、後からコンテンツに紐付けられた登録地点を編集することができる。
【００３９】
以下、図２のフローチャートを参照しながら、実施の形態に係るコンテンツ配信システムの処理について説明する。なお、図２の処理は、移動端末１０に目的地情報が設定されることによりスタートする。
【００４０】
まず、処理が開始すると（スタート）、ステップＳ１０１において、端末情報取得部１１は、移動端末１０の現在地情報および目的地情報を取得する。
【００４１】
続いて、ステップＳ１０２において、経路情報出力部１２は、移動端末１０の現在地情報および目的地情報に基づいて、移動端末１０の移動経路を生成し、移動経路を表す経路情報を出力する。
【００４２】
次に、ステップＳ１０３において、登録地点検出部２１１は、移動端末１０の経路情報が表す移動端末１０の移動経路に含まれるコンテンツの登録地点をデータベース２２２から検出する。
【００４３】
続いて、ステップＳ１０４において、コンテンツ情報抽出部２１２は、コンテンツの登録地点に基づいて、データベース２２２からこの登録地点を表す位置情報を含むコンテンツ情報を抽出する。
【００４４】
次に、ステップＳ１０５において、再生順決定部２１３は、移動端末１０の経路情報およびコンテンツの登録地点におけるコンテンツ情報に基づいて、移動端末１０に配信されるコンテンツの再生順を決定する。
【００４５】
続いて、ステップＳ１０６において、コンテンツ配信部２１４は、コンテンツの再生順に基づいて、コンテンツデータ２２１から該当するコンテンツを取得し、通信部２１５を介して移動端末１０に配信する。
【００４６】
次に、ステップＳ１０７において、コンテンツ再生部１３は、コンテンツ配信部２１４から配信されたコンテンツを、表示部１４および車室内のスピーカにより、再生順に従って再生する。
【００４７】
ここで、図３を参照しながら、実施の形態に係るコンテンツ配信システムによるコンテンツの配信イメージについて説明する。図３において、車両に搭載された移動端末１０の移動経路上に、コンテンツの登録地点Ａ〜Ｃが存在している。また、これらの登録地点Ａ〜Ｃについて、対応するコンテンツＡ〜Ｃが選択され、Ａ→Ｂ→Ｃの再生順で移動端末１０に配信されている。
【００４８】
続いて、ステップＳ１０８において、コンテンツ制御部２１は、移動端末１０の現在地が、移動端末１０の移動経路からずれたか否かを判定する。
【００４９】
ステップＳ１０８において、移動端末１０の現在地が、移動端末１０の移動経路からずれた（すなわち、Ｙｅｓ）と判定された場合には、再度ステップＳ１０１の処理が実行される。
【００５０】
一方、ステップＳ１０８において、移動端末１０の現在地が、移動端末１０の移動経路からずれていない（すなわち、Ｎｏ）と判定された場合には、ステップＳ１０９において、移動端末１０が目的地に到着したか否かが判定される。
【００５１】
ステップＳ１０９において、移動端末１０が目的地に到着した（すなわち、Ｙｅｓ）と判定された場合には、処理が終了する（エンド）。
【００５２】
一方、ステップＳ１０９において、移動端末１０が目的地に到着していない（すなわち、Ｎｏ）と判定された場合には、再度ステップＳ１０８の処理が実行される。
【００５３】
実施の形態に係るコンテンツ配信システムによれば、移動端末１０の移動経路を表す経路情報と、サーバ装置２０側で検出されたコンテンツの登録地点を含むコンテンツ情報とに基づいてコンテンツの再生順が決定され、再生順とともにコンテンツがサーバ装置２０から移動端末１０に予め配信されることにより、移動端末１０で再生順に従ってコンテンツを再生することができる。
【００５４】
そのため、コンテンツを予め配信することができ、無音状態が継続することを回避することができる。また、他のコンテンツが割り込んでくることがなくなるので、それまで再生されていたコンテンツが突然中断されることを回避することができる。
【００５５】
したがって、適切にコンテンツを配信することができるコンテンツ配信システムを提供することができる。
【００５６】
なお、コンテンツ制御部２１は、ユーザの趣向等に応じたコンテンツを配信してもよい。具体的には、実施の形態に係るコンテンツ配信システムでは、コンテンツ再生部１３で再生されたコンテンツの再生履歴をサーバ装置２０のデータベース２２２で管理することができる。
【００５７】
そのため、コンテンツ制御部２１は、ユーザの趣向に合わせたコンテンツを優先的に配信することができる。具体的には、コンテンツ制御部２１は、ユーザが一定時間以上再生したコンテンツは、興味の対象として再生履歴に登録し、ユーザが再生をスキップしたコンテンツは、興味がないものとして、再生履歴に登録しないとすることで、ユーザの趣向を反映したコンテンツを配信することができる。
【００５８】
また、実施の形態に係るコンテンツ配信システムでは、コンテンツの再生位置を移動端末１０から取得し、どこでどのコンテンツが再生されたかを、他のユーザの位置情報と併せてサーバ装置２０のデータベース２２２に蓄積することができる。そのため、コンテンツ制御部２１は、他のユーザの再生位置を参照し、特定地域において再生回数の多いコンテンツを優先的に配信することができる。
【００５９】
なお、コンテンツ制御部２１は、コンテンツの再生位置を移動端末１０から取得し、取得したコンテンツの再生位置と再生したコンテンツとを、ＳＮＳ(Social Network Service)に投稿してもよい。
【００６０】
また、実施の形態に係るコンテンツ配信システムでは、コンテンツの再生中または再生後において、再生されたコンテンツの優劣（ユーザの満足度）を移動端末１０から取得し、コンテンツに対するユーザ評価をサーバ装置２０のデータベース２２２に蓄積することができる。そのため、コンテンツ制御部２１は、サーバ装置２０に蓄積された自身または他のユーザ評価に基づいて、ユーザ評価の高いコンテンツを優先的に配信することができる。
【００６１】
また、コンテンツ制御部２１は、移動端末１０の現在地情報に基づいて、現在地付近の史跡名勝を紹介する音声ファイルや動画ファイルを配信してもよい。これにより、観光地で史跡名勝に近づくと、２４時間３６５日、天候を問わず史跡名勝を案内することができる。
【００６２】
また、コンテンツ制御部２１は、車両の連続運転時間が、例えば、１時間を経過しそうな場合に、移動端末１０の移動経路上の登録地点に対応するコンテンツとして、コンビニエンスストア等の広告に関する音声ファイルや動画ファイルを配信してもよい。これにより、ユーザに対して、休憩を促すことができる。ここで、コンテンツを予め配信することにっより、余裕をもって案内を行うことができる。
【００６３】
また、コンテンツ制御部２１は、移動端末１０を介して車両の制御情報を取得し、これら車両の制御情報を考慮してコンテンツを配信してもよい。すなわち、コンテンツ制御部２１は、車両の制御情報としてアクセル開度、速度パルス、運転経過時間、停止時間等を取得し、ユーザの運転状態に合わせたコンテンツを配信することができる。
【００６４】
具体的には、コンテンツ制御部２１は、アクセル開度が一定で速度パルスが高い（高速走行中）と判断した場合に、ＢＰＭ(Beats Per Minute)レートの高いアップテンポの曲を配信する。また、コンテンツ制御部２１は、速度パルスが低速（４０ｋｍ／ｈｍ未満）で発進と停止とを繰り返しており、渋滞中と判断した場合に、ＢＰＭレートの低いリラックスさせる曲を配信する。また、コンテンツ制御部２１は、渋滞状態が１時間以上続いた場合に、アップテンポの曲を配信して、ユーザの眠気を覚まさせる。
【００６５】
また、コンテンツ制御部２１は、車両の制御情報としてエアコンの冷暖房（外気温）、ライトの点灯、ワイパーの作動等を取得し、ユーザの周辺環境に合わせたコンテンツを配信することができる。
【００６６】
具体的には、コンテンツ制御部２１は、エアコンの冷暖房の状態および外気温を判定基準として、季節にあつた楽曲を配信する。コンテンツ制御部２１は、例えば、冷房であれば「夏」、暖房であれば「冬」に関するコンテンツを配信し、ＧＰＳの日時情報を参照して「春」または「秋」に関するコンテンツを配信する。
【００６７】
また、コンテンツ制御部２１は、ヘッドライトの点灯を５分以上継続して検知した場合に、ＧＰＳの日時情報を参照して時間帯属性「夜」のコンテンツを配信する。また、コンテンツ制御部２１は、ワイパーの作動を５分以上継続して検知した場合に、外気温を参照して天気属性「雨」のコンテンツを配信する。なお、コンテンツ制御部２１は、外気温が０度以下である場合に、天気属性「雪」のコンテンツを配信してもよい。
【００６８】
なお、上記実施の形態では、経路情報出力部１２が移動端末１０に設けられている場合について説明したが、これに限定されず、経路情報出力部は、サーバ装置２０に設けられてもよい。すなわち、移動端末１０の端末情報取得部１１で取得された現在地情報および目的地情報に基づいて、サーバ装置２０側で移動端末１０の移動経路を生成してもよい。
【００６９】
以上、本発明の例示的な実施の形態のコンテンツ配信システムについて説明したが、本発明は、具体的に開示された実施の形態に限定されるものではなく、特許請求の範囲から逸脱することなく、種々の変形や変更が可能である。
【符号の説明】
【００７０】
１０  移動端末
１１  端末情報取得部
１２  経路情報出力部
１３  コンテンツ再生部
１４  表示部
１５  通信部
２０  サーバ装置
２１  コンテンツ制御部
２２  記憶部
２１１  登録地点検出部
２１２  コンテンツ情報抽出部
２１３  再生順決定部
２１４  コンテンツ配信部
２１５  通信部
２２１  コンテンツデータ
２２２  データベース
【図１】
2019032677.tif 000003
【図２】
2019032677.tif 000004
【図３】
2019032677.tif 000005